(57)【要約】【課題】渦巻通風路の終端側から始端側に流入する循環流の乱れを抑制することによって静音性を向上させることのできる送風機を提供する。【解決手段】第１側板３１における、渦巻通風路３６の始端側及び終端側、渦巻通風路３６の終端部から羽根車１０の回転方向に延びて渦巻通風路３６の始端部に接続される接続通風路３８を形成する面は、徐々に高さが変化する傾斜面を接続することによって形成され、第１側板３１における、渦巻通風路３６の始端側及び終端側、接続通風路３８を形成する面の径方向内側には、羽根車１０の外周側を羽根車１０の周方向に沿って延びるように設けられ、第２側板３２側に向かって突出する突部３１ｂが設けられている。【選択図】図３
2020020338.tif 000002
【特許請求の範囲】
【請求項１】
筒状の羽根車と、
羽根車が内部に収容され、内部に収容された羽根車の径方向外側に渦巻通風路が形成されたケーシングと、を備え、
ケーシングは、羽根車の回転軸方向一端側に設けられた第１側板と、回転軸方向他端側に設けられ空気の吸入口が形成された第２側板と、羽根車の径方向外側に設けられた外周板と、を有し、
第１側板及び第２側板における、渦巻通風路の始端側及び終端側、渦巻通風路の終端部から羽根車の回転方向に延びて渦巻通風路の始端部に接続される接続通風路を形成する面は、それぞれ高さが一定の平坦面及び徐々に高さが変化する傾斜面の一方または両方を接続することによって形成され、
第１側板における、渦巻通風路の始端側及び終端側、接続通風路を形成する面の径方向内側には、羽根車の外周側を羽根車の周方向に沿って延びるように設けられ、第２側板側に向かって突出する突部が設けられている
送風機。
【請求項２】
渦巻通風路における羽根車の回転軸方向の寸法は、渦巻通風路の始端部及び終端部から、渦巻通風路における始端部と終端部との間の所定位置までそれぞれ徐々に小さく形成されている
請求項１に記載の送風機。
【請求項３】
渦巻通風路は、平板状の第２側板と、第２側板との距離が徐々に変化する形状の第１側板と、の間に形成される
請求項２に記載の送風機。
【請求項４】
渦巻通風路における始端側と終端側との間の所定位置は、羽根車の回転軸を中心として、渦巻通風路の始端部から終端部に向かって９０度から１５０度の範囲内である
請求項３に記載の送風機。
【請求項５】
突部は、両端部のそれぞれに向かって高さ寸法が徐々に小さくなる
請求項１乃至４のいずれかに記載の送風機。
【請求項６】
突部は、渦巻通風路の始端部の近傍において高さ寸法が最大となる
請求項５に記載の送風機。
【請求項７】
突部は、高さ寸法が最大となる部分が、羽根車における第１側板側の端部の近傍まで第２側板側に向かって張り出している
請求項５または６に記載の送風機。
【請求項８】
突部は、羽根車の回転軸を中心として渦巻通風路の始端部から終端部に向かって１２０度の位置から接続通風路を通って渦巻通風路の始端部から６０度までの範囲内に形成されている
請求項１乃至７のいずれかに記載の送風機。
【請求項９】
突部の外周側には、径方向外側に向かって徐々に高さが小さくなる傾斜面が設けられている
請求項１乃至８のいずれかに記載の送風機。
【請求項１０】
傾斜面は、突部における渦巻通風路の終端側の端部から接続通風路までの範囲内に形成されている
請求項９に記載の送風機。
【請求項１１】
突部の先端部には、第２側板に対向する平坦面が形成され、
平坦面は、羽根車の径方向と平行、または、羽根車の径方向外側に向かって下り傾斜を成している
請求項１乃至１０のいずれかに記載の送風機。
【請求項１２】
平坦面の幅寸法は、接続通風路の近傍において最大となり、接続通風路から両端部のそれぞれに向かって小さくなる
請求項１１に記載の送風機。
【発明の詳細な説明】
【技術分野】
【０００１】
本発明は、例えば、車両用空気調和装置に用いられる送風機に関するものである。
【背景技術】
【０００２】
従来、この種の送風機としては、筒状の羽根車と、内部に収容された羽根車の径方向外側に渦巻通風路が形成されたケーシングと、を備えたものが知られている（例えば、特許文献１参照）。
【０００３】
ケーシングは、羽根車の軸方向一端側に設けられた第１側板と、軸方向他端側に設けられ空気の吸入口が形成された第２側板と、羽根車の径方向外側に設けられた外周板と、を有している。渦巻通風路は、第１側板と第２側板との間、且つ、羽根車の外周部と外周板との間に形成される。
【０００４】
渦巻通風路は、流速を低下させた空気を吐出口から流出させるために、始端側から終端側に向かって流路の断面積を徐々に大きくしている。
【０００５】
前記送風機では、渦巻通風路の始端側から終端側に向かって、羽根車の回転軸と外周板との距離を徐々に大きくするとともに、第１側板を羽根車の回転軸方向一方に徐々に張り出させることで、渦巻通風路の流路断面積を徐々に大きくしている。このため、前記送風機では、ケーシングの第１側板において、渦巻通風路の始端側と終端側との間で段差部が生じることになる。
【先行技術文献】
【特許文献】
【０００６】
【特許文献１】特開平５−１９５９９５号公報
【発明の概要】
【発明が解決しようとする課題】
【０００７】
前記送風機では、渦巻通風路を流通する空気が終端側から再び始端側に流入する循環流が発生する。前記送風機では、循環流が渦巻通風路の終端側から始端側に流入する際に、第１側板に沿って流通する空気の流れが段差部に衝突すると、空気の流れが第１側板から剥離することになり、渦巻通風路の始端側において空気の流れに乱れが生じることになる。前記送風機では、渦巻通風路の始端側における空気の流れに乱れが生じると、騒音の原因となり得る。
【０００８】
本発明の目的とするところは、渦巻通風路の終端側から始端側に流入する循環流の乱れを抑制することによって静音性を向上させることのできる送風機を提供することにある。
【課題を解決するための手段】
【０００９】
本発明の送風機は、前記目的を達成するために、筒状の羽根車と、羽根車が内部に収容され、内部に収容された羽根車の径方向外側に渦巻通風路が形成されたケーシングと、を備え、ケーシングは、羽根車の回転軸方向一端側に設けられた第１側板と、回転軸方向他端側に設けられ空気の吸入口が形成された第２側板と、羽根車の径方向外側に設けられた外周板と、を有し、第１側板及び第２側板における、渦巻通風路の始端側及び終端側、渦巻通風路の終端部から羽根車の回転方向に延びて渦巻通風路の始端部に接続される接続通風路を形成する面は、それぞれ高さが一定の平坦面及び徐々に高さが変化する傾斜面の一方または両方を接続することによって形成され、第１側板における、渦巻通風路の始端側及び終端側、接続通風路を形成する面の径方向内側には、羽根車の外周側を羽根車の周方向に沿って延びるように設けられ、第２側板側に向かって突出する突部が設けられている。
【００１０】
これにより、第１側板及び第２側板における渦巻通風路の始端側及び終端側、接続通風路を形成する面が、段差を有しない平滑な面となることから、第１側板及び第２側板に沿って接続通風路を介して渦巻通風路の終端側から始端側に流入する循環流が、剥離することなく第１側板及び第２側板に沿って流通するとともに、渦巻通風路の終端側及び始端側、接続通風路の近傍において羽根車から流出する空気が、突部に沿って流通して渦巻通風路または接続流通路に流入し、空気の乱れが抑制される。
【発明の効果】
【００１１】
本発明によれば、第１側板及び第２側板に沿って接続通風路を介して渦巻通風路の終端側から始端側に流入する循環流を、第１側板及び第２側板から剥離させることなく第１側板及び第２側板に沿って流通させるとともに、渦巻通風路の終端側及び始端側、接続通風路の近傍において羽根車の外周部から流出する空気を、突部に沿って流通させて渦巻通風路または接続通風路に流入させることにより、空気の乱れの発生を抑制することができるので、音の発生を抑制することができ、静音性を向上させることが可能となる。
【図面の簡単な説明】
【００１２】
【図１】本発明の一実施形態を示す送風機の全体斜視図である。
【図２】送風機の平面図である。
【図３】送風機の平面断面図である。
【図４】図２のＡ−Ａ断面図である。
【発明を実施するための形態】
【００１３】
図１乃至図４は、本発明の一実施形態を示すものである。
【００１４】
本発明の送風機１は、図１に示すように、遠心式の送風機であり、例えば、車両用空気調和装置の送風手段として用いられる。
【００１５】
この送風機１は、図４に示すように、円筒状に形成された羽根車１０と、羽根車１０を回転させるための電動モータ２０と、羽根車１０が内部に収容されるケーシング３０と、を備えている。
【００１６】
羽根車１０は、図３及び図４に示すように、互いに周方向に所定の間隔をおいて配置されると共にそれぞれ円筒状の軸方向に延びる複数の翼１１と、軸方向一端側に設けられた基板１２と、軸方向他端側に設けられたリム１３と、を有している。
【００１７】
複数の翼１１は、それぞれ径方向内側から外側に向かって延びるように配置されている。複数の翼１１は、それぞれ径方向外側が径方向内側に対して周方向の一方に向かって湾曲している。
【００１８】
基板１２は、外周側に複数の翼１１の一端部が互いに周方向に間隔をおいて連結された円板状の部材である。基板１２は、各翼１１の一端部が連結された外周部の径方向内側から中心部に向かって徐々に軸方向他端側に張り出す張出部１２ａを有している。張出部１２ａの軸方向一端面には、外周側に対して径方向中心に向かって徐々に軸方向他端側に向かって窪む凹部が形成されている。
【００１９】
リム１３は、複数の翼１１の他端部が互いに周方向に間隔をおいて連結された円筒状の部材である。
【００２０】
羽根車１０は、図４中に矢印で示すように、径方向の中心を回転軸として周方向一方に回転させると、回転軸方向他端側から内側に空気が流入し、各翼１１の隙間から径方向外側に向かって放射状に空気を流出させる。
【００２１】
電動モータ２０は、図４に示すように、羽根車１０の軸方向一端側において、基板１２の回転軸方向一端面の凹部に配置される。電動モータ２０は、回転軸２１が基板１２の径方向の中心部に連結されており、周方向一方に羽根車１０を回転させる。
【００２２】
ケーシング３０は、図４に示すように、羽根車１０の回転軸方向一端側に設けられた第１側板３１と、羽根車１０の回転軸方向他端側に設けられた第２側板３２と、第１側板３１と第２側板３２のそれぞれの外周部の間を羽根車１０の周方向に延びる外周板３３と、を有している。
【００２３】
第１側板３１の略中央部には、電動モータ２０を貫通させた状態で支持するためのモータ支持孔３１ａが設けられている。
【００２４】
第２側板３２の略中央部には、ケーシング３０内に空気を吸入するための吸入口３４が設けられている。また、第２側板３２の吸入口３４の縁部には、羽根車１０のリム１３の回転軸方向他端側、径方向内側及び外側を囲むカバー部３２ａが設けられている。
【００２５】
外周板３３は、図３に示すように、羽根車１０の回転軸から離れた所定の基準位置Ｓから羽根車１０の回転方向に向かって羽根車１０の回転軸からの距離が徐々に大きくなる渦巻状の渦巻部３３ａと、渦巻部３３ａの径方向外側の端部から直線状に延びる直線部３３ｂと、渦巻部３３ａの径方向内側の端部から所定の曲率半径で、渦巻部３３ａと反対方向に湾曲して延びる舌部３３ｃと、舌部３３ｃから連続して直線部３３ｂと間隔をおいて延びる延出部３３ｄと、を有している。
【００２６】
また、ケーシング３０には、図１及び図２に示すように、吸入口３４を介してケーシング３０内に吸入した空気を吐出するための吐出口３５が設けられている。吐出口３５は、図２及び図３に示すように、第１側板３１、第２側板３２、直線部３３ｂ、延出部３３ｄに囲まれる部分の端部に形成されている。
【００２７】
ケーシング３０内には、図３に示すように、流入した空気を羽根車１０の外周側を羽根車１０の回転方向に流通させるための渦巻通風路３６と、渦巻通風路３６の終端部と吐出口３５とを連通する吐出通風路３７と、渦巻通風路３６の終端部から羽根車１０の回転方向に延びて渦巻通風路３６の始端部に接続される接続通風路３８と、が設けられている。
【００２８】
渦巻通風路３６は、第１側板３１と第２側板３２との間、且つ、羽根車１０の外周部と外周板３３の渦巻部３３ａ及び直線部３３ｂにおける渦巻部３３ａ側に位置する部分との間に設けられている。渦巻通風路３６は、図３に示すように、始端部から終端部に向かって径方向に寸法が徐々に大きくなる。
【００２９】
また、渦巻通風路３６は、始端部と終端部との間で、羽根車１０の回転軸方向の寸法Ｈが変化する。即ち、渦巻通風路３６は、羽根車１０の回転軸方向の寸法Ｈが、始端側及び終端側から、渦巻通風路３６における始端部と終端部との間の所定位置Ｐまでそれぞれ徐々に小さく形成されている。渦巻通風路３６における始端部と終端部との間の所定位置Ｐは、羽根車１０の回転軸を中心として、渦巻部３３ａの径方向内側の端部の位置Ｓから羽根車１０の回転方向に向かって所定角度θの位置である。所定角度θは、９０度から１５０度の範囲内であることが望ましい。さらに、所定角度θは、略１２０度であることがより望ましい。
【００３０】
具体的には、渦巻通風路３６は、平板状の第２側板３２と、第２側板３２との距離が徐々に変化する形状の第１側板３１と、の間に形成されている。第１側板３１は、渦巻通風路３６における始端部と終端部に対応する部分が、略同一の高さに形成されている。また、第１側板３１は、渦巻通風路３６における始端部及び終端部に対応する部分から渦巻通風路３６における始端部と終端部との間の所定位置Ｐに対応する部分まで徐々に第２側板３２側へ張り出している。
【００３１】
吐出通風路３７は、第１側板３１と第２側板３２との間で、且つ、直線部３３ｂにおける吐出口３５側に位置する部分と延出部３３ｄとの間に設けられている。吐出通風路３７は、図３に示すように、渦巻通風路３６の終端部から吐出口３５に向かって径方向の寸法が徐々に大きくなる。また、吐出通風路３７は、舌部３３ｃによって渦巻通風路３６の始端側と仕切られている。
【００３２】
接続通風路３８は、第１側板３１と第２側板３２との間、且つ、羽根車１０の外周部と渦巻通風路３６の終端側との間に設けられている。第１側板３１における、接続通風路３８に対応する面は、渦巻通風路３６の始端側及び終端側と略同一の高さに形成されている。第１側板３１における、接続通風路３８に対応する面は、渦巻通風路３６の始端側と面一に形成され、渦巻通風路３６の終端部に対応する部分と、段差が形成されることなく同一の高さで接続されている。
【００３３】
また、第１側板３１における、接続通風路３８及び渦巻通風路３６の始端側及び終端側に対応する面の径方向内側には、第２側板３２側に突出する突部３１ｂが設けられている。
【００３４】
突部３１ｂは、羽根車１０の径方向外側において周方向に延びている。突部３１ｂは、羽根車１０の回転軸を中心として、渦巻部３３ａの径方向内側の端部の位置Ｓから羽根車１０の回転方向に向かって所定角度θ１から位置Ｓを通って所定角度θ２までの間に形成されている。所定角度θ１は、１２０度〜３４０度の範囲内であることが望ましい。また、所定角度θ２は、４０度〜６０度の範囲内であることが望ましい。
【００３５】
また、突部３１ｂは、高さ寸法Ｈ１が、渦巻通風路３６の始端部の近傍において最大となり、渦巻通風路３６の始端部から羽根車１０の周方向の両側に向かってそれぞれ徐々に小さくなる。突部３１ｂは、高さ寸法Ｈ１が最大となる部分が、羽根車１０の基板１２の外周側の近傍まで第２側板３２側に向かって張り出している。高さ寸法Ｈ１の最大値は、３ｍｍ〜１８ｍｍの範囲内であることが望ましい。
【００３６】
また、突部３１ｂの先端部には、第２側板３２に対向する平坦面３１ｂ１が形成されている。平坦面３１ｂ１は、羽根車１０の径方向と平行、または、羽根車１０の径方向外側に向かって下り傾斜を成している。
【００３７】
また、平坦面３１ｂ１の幅寸法Ｗは、接続通風路３８の近傍において最大となり、接続通風路３８から羽根車１０の周方向の両側に向かってそれぞれ徐々に小さくなる。
【００３８】
突部３１ｂの外周側には、径方向外側に向かって徐々に高さ寸法が小さくなる傾斜面３１ｃが設けられている。傾斜面３１ｃは、突部３１ｂにおける渦巻通風路３６の終端側の端部から接続通風路３８までの間に形成されている。
【００３９】
以上のように構成された送風機１では、電動モータ２０を駆動して羽根車１０を周方向一方に回転させると、ケーシング３０外の空気は、第２側板３２に設けられた吸入口３４を介してケーシング３０内に吸入される。吸入口３４を介してケーシング３０内に吸入された空気は、羽根車１０の軸方向他端側から内側に流入し、羽根車１０の外周部から放射状に流出される。羽根車１０の外周部から放射状に流出した空気は、ケーシング３０の渦巻通風路３６及び吐出通風路３７を流通して吐出口３５から吐出されるとともに、一部の空気が渦巻通風路３６の終端側から接続通風路３８を介して渦巻通風路３６の始端側に循環流として流入する。
【００４０】
このとき、第１側板３１における、渦巻通風路３６の終端側から接続通風路３８を介して渦巻通風路３６の始端側にわたる部分に対応する面は、段差を生じることなくそれぞれ略同一の高さに形成されている。このため、第１側板３１に沿って接続通風路３８を介して渦巻通風路３６の終端側から始端側に流入する循環流は、第１側板３１から剥離することなく第１側板３１に沿って流通することになり、渦巻通風路３６の始端側における空気の流れの乱れが抑制される。
【００４１】
また、第１側板３１における、渦巻通風路３６の終端側から接続通風路３８を介して渦巻通風路３６の始端側にわたる部分に対応する面の径方向内側には、突部３１ｂが形成されている。このため、渦巻通風路３６の終端側から接続通風路３８を介して渦巻通風路３６の始端側にわたる部分において、羽根車１０の基板１２に沿って外周部から流出した空気は、突部３１ｂに沿って径方向外側に流通して渦巻通風路３６または接続通風路３８に流入することになり、接続通風路３８、渦巻通風路３６の終端側及び始端側における空気の流れの乱れが抑制される。突部３１ｂは、両端部のそれぞれに向かって高さ寸法が徐々に小さくなるので、突部３１ｂによって渦巻通風路３６の終端側から接続通風路３８を介して渦巻通風路３６の始端側に流入する空気の流れの乱れが抑制される。また、渦巻通風路３６の終端側に位置する突部３１ｂの径方向外側には、径方向外側に向かって高さ寸法が小さくなる傾斜面３１ｃが設けられている。このため、突部３１ｂに沿って流通する空気が傾斜面３１ｃに沿って流れて渦巻通風路３６に流入することになり、渦巻通風路３６の終端側に流入する空気の乱れが抑制される。
【００４２】
また、渦巻通風路３６は、羽根車１０の回転軸方向の寸法Ｈが、始端側及び終端側から、渦巻通風路３６における始端部と終端部との間の所定位置Ｐに向かってそれぞれ徐々に小さく形成されている。さらに、渦巻通風路３６は、羽根車１０の径方向の寸法が、羽根車１０の回転する方向に向かって徐々に大きく形成されている。このため、第１側板３１に沿って渦巻通風路３６の始端側に流入した循環流は、所定位置Ｐまで渦巻通風路３６の寸法Ｈが徐々に小さくなると共に径方向の寸法が徐々に大きくなることで流速の上昇が抑制される。第１側板３１に沿って渦巻通風路３６の所定位置Ｐまで流通した循環流は、所定位置Ｐから渦巻通風路３６の終端側に向かって渦巻通風路３６の寸法Ｈが徐々に大きくなると共に径方向の寸法が徐々に大きくなることで徐々に減速されて整流されることになり、空気の流れの乱れが抑制される。
【００４３】
このように、本実施形態の送風機１によれば、第１側板３１における、渦巻通風路３６の始端側及び終端側、渦巻通風路３６の終端部から羽根車１０の回転方向に延びて渦巻通風路３６の始端部に接続される接続通風路３８を形成する面は、徐々に高さが変化する傾斜面を接続することによって形成され、第１側板３１における、渦巻通風路３６の始端側及び終端側、接続通風路３８を形成する面の径方向内側には、羽根車１０の外周側を羽根車１０の周方向に沿って延びるように設けられ、第２側板３２側に向かって突出する突部３１ｂが設けられている。
【００４４】
これにより、第１側板３１に沿って接続通風路３８を介して渦巻通風路３６の終端側から始端側に流入する循環流を、第１側板３１から剥離させることなく第１側板３１に沿って流通させるとともに、渦巻通風路３６の終端側及び始端側、接続通風路３８の近傍において羽根車１０の外周部から流出する空気を、突部３１ｂに沿って流通させて渦巻通風路３６または接続通風路３８に流入させることにより、空気の乱れの発生を抑制することができるので、音の発生を抑制することができ、静音性を向上させることが可能となる。
【００４５】
また、渦巻通風路３６における羽根車１０の回転軸方向の寸法Ｈは、渦巻通風路３６の始端部及び終端部から、渦巻通風路３６における始端部と終端部との間の所定位置Ｐまでそれぞれ徐々に小さく形成されている。
【００４６】
これにより、第１側板３１に沿って接続通風路３８を介して渦巻通風路３６の終端側から始端側に流入する循環流を、第１側板３１から剥離させることなく第１側板３１に沿って流通させ、第１側板３１に沿って渦巻通風路３６の始端側に流入した循環流を、第１側板３１に沿って流通させることにより整流することができるので、音の発生を抑制することができ、静音性を向上させることが可能となる。
【００４７】
また、渦巻通風路３６は、平板状の第２側板３２と、第２側板３２との距離が徐々に変化する形状の第１側板３１と、の間に形成されている。
【００４８】
これにより、第２側板３２を簡単な形状とすることができるので、製造コストの低減を図ることが可能となる。
【００４９】
また、渦巻通風路３６における始端側と終端側との間の所定位置Ｐは、羽根車１０の回転軸を中心として、渦巻通風路３６の始端部から終端部に向かって９０度から１５０度の範囲内である。
【００５０】
これにより、第１側板３１に沿って渦巻通風路３６の始端側に流入した循環流を、確実に第１側板３１に沿って流通させることが可能となる。
【００５１】
また、突部３１ｂは、両端部のそれぞれに向かって高さ寸法が徐々に小さくなる。
【００５２】
これにより、突部３１ｂによって渦巻通風路３６の終端側から接続通風路３８を介して渦巻通風路３６の始端側に流入する空気の乱れが抑制される。
【００５３】
また、突部３１ｂは、渦巻通風路３６の始端部の近傍において高さ寸法Ｈ１が最大となる。
【００５４】
これにより、羽根車１０から渦巻通風路３６または接続通風路３８に流出する空気の流量が多い渦巻通風路３６の始端側において、空気の流れを突部３１ｂによって整流することができるので、音の発生を抑制することができ、静音性を向上させることが可能となる。
【００５５】
また、突部３１ｂは、高さ寸法Ｈ１が最大となる部分が、羽根車１０における基板１２の外周側（第１側板３１側の端部）の近傍まで第２側板３２側に向かって張り出している。
【００５６】
これにより、羽根車１０の基板１２の外周側から流出する空気の流れを突部３１ｂによって確実に整流することができるので、より静音性を向上させることが可能となる。
【００５７】
また、突部３１ｂは、羽根車１０の回転軸を中心として渦巻通風路３６の始端部から終端部に向かって１２０度の位置から接続通風路３８を通って渦巻通風路３６の始端部から６０度までの範囲内に形成されている。
【００５８】
これにより、渦巻通風路３６の終端側から始端側に流入する循環流と、渦巻通風路３６の終端側及び始端側、接続通風路３８において羽根車１０の外周部から流入する空気の流れと、が合流することによる空気の流れの乱れを生じやすい部分において空気の流れの乱れを有効に抑制することが可能となる。
【００５９】
また、突部３１ｂの外周側には、径方向外側に向かって徐々に高さが小さくなる傾斜面３１ｃが設けられている。
【００６０】
これにより、羽根車１０の外周部から突部３１ｂに沿って流通し、渦巻通風路３６の終端側及び接続通風路３８に流入する空気の流れの乱れを抑制することが可能となる。
【００６１】
また、傾斜面３１ｃは、突部３１ｂにおける渦巻通風路３６の終端側の端部から接続通風路３８までの範囲内に形成されている。
【００６２】
これにより、羽根車１０の外周部から突部３１ｂに沿って流通し、渦巻通風路３６の終端側及び接続通風路３８に流入する空気の乱れが生じやすい部分において空気の流れを有効に抑制することが可能となる。
【００６３】
また、突部３１ｂの先端部には、第２側板３２に対向する平坦面３１ｂ１が形成され、平坦面３１ｂ１は、羽根車１０の径方向と平行、または、羽根車１０の径方向外側に向かって下り傾斜を成している。
【００６４】
これにより、羽根車１０の外周部から流出した空気を平坦面３１ｂ１に沿って流通させることによって、空気の流れを乱すことなく羽根車１０の径方向外側に向かって流通させることができ、静音性の向上を図ることが可能となる。
【００６５】
また、平坦面３１ｂ１の幅寸法Ｗは、接続通風路３８の近傍において最大となり、接続通風路３８から両端部のそれぞれに向かって小さくなる。
【００６６】
これにより、空気の流量が多くなる接続通風路３８の近傍において羽根車１０から流出して吐出通風路３７に向かって流通する空気を平坦面３１ｂ１に沿って流通させることによって、接続通風路３８における空気の乱れを抑制し、静音性の向上を図ることが可能となる。
【００６７】
尚、前記実施形態では、車両用空気調和装置の送風手段以外に、建築物の室内の空気調和装置や、換気装置等の送風手段に適用することも可能である。
【００６８】
また、前記実施形態では、第２側板３２を平板状に形成し、第２側板３２との距離が徐々に変化する形状の第１側板３１によって渦巻通風路３６及び接続通風路３８を形成するようにしたものを示したが、これに限られるものではない。例えば、第１側板を平板状に形成し、第１側板との距離が徐々に変化する形状の第２側板によって渦巻通風路及び接続通風路を形成するようにしてもよい。また、第１側板及び第２側板の両方を羽根車の回転軸方向に高さを徐々に変化させることによって渦巻通風路及び接続通風路を生成するようにしてもよい。
【００６９】
また、前記実施形態では、第１側板３１における、接続通風路３８に対応する面を、渦巻通風路３６の始端側と面一に形成し、渦巻通風路３６の終端部と同一の高さで接続したものを示したが、これに限られるものではない。第１側板３１における、渦巻通風路３６の始端側及び終端側、接続通風路３８に対応する面が、段差を生じない平滑な面で接続されていればよく、高さが一定の平坦面のみで接続してもよいし、高さが徐々に変化する傾斜面のみで接続してもよいし、平坦面及び傾斜面で接続してもよい。
【符号の説明】
【００７０】
１…送風機、１０…羽根車、３０…ケーシング、３１…第１側板、３１ｂ…突部、３１ｂ１…平坦面、３１ｃ…傾斜面、３２…第２側板、３３…外周板、３４…吸入口、３６…渦巻通風路、３８…接続通風路。
【図１】
2020020338.tif 000003
【図２】
2020020338.tif 000004
【図３】
2020020338.tif 000005
【図４】
2020020338.tif 000006